(57)【要約】【課題】  被撮影物に関する運用上の問題を低コストで解決できる。【解決手段】  利用者と共に撮影される被撮影物と、該被撮影物と利用者とを撮影する撮影手段と、撮影により取得した撮影画像を編集して編集画像を作成する編集手段と、所定の画像を出力する出力手段とを備えた写真撮影編集装置に、前記被撮影物を撮影手段で撮影した被撮影物画像に基づいて、撮影に関する撮影方式と前記被撮影物とを関連付ける関連付け手段を備えた。【選択図】    図６
2006303567.tif 000002
【特許請求の範囲】
【請求項１】
利用者と共に被撮影物を撮影手段により撮影し、
該撮影により取得した撮影画像を編集手段で編集して編集画像を作成する編集処理を許容し、
所定の画像を出力手段で出力する写真撮影編集方法であって、
利用者を撮影するより前に、
前記被撮影物を撮影手段で撮影し、
該撮影により取得した被撮影物画像に基づいて、撮影に関する撮影方式と前記被撮影物とを関連付け手段により関連付ける
写真撮影編集方法。
【請求項２】
被撮影物に関する登録画像を記憶手段に記憶しておき、
前記関連付け手段により、前記被撮影物画像と前記登録画像とを照合し、該照合により決定した登録画像の撮影方式に前記被撮影物を関連付けさせる
請求項１記載の写真撮影編集方法。
【請求項３】
前記被撮影物画像を前記登録画像として登録許容する
請求項２記載の写真撮影編集方法。
【請求項４】
前記登録画像と前記被撮影物画像とを比較し、該比較の結果に基づいて、利用者を撮影した撮影画像に対する画像補正の内容を決定する
請求項２記載の写真撮影編集方法。
【請求項５】
利用者と共に撮影される被撮影物と、
該被撮影物と利用者とを撮影する撮影手段と、
撮影により取得した撮影画像を編集して編集画像を作成する編集手段と、
所定の画像を出力する出力手段とを備えた写真撮影編集装置であって、
前記被撮影物を撮影手段で撮影した被撮影物画像に基づいて、撮影に関する撮影方式と前記被撮影物とを関連付ける関連付け手段を備えた
写真撮影編集装置。
【請求項６】
被撮影物に関する登録画像を記憶する記憶手段を備え、
前記関連付け手段を、前記被撮影物画像と前記登録画像とを照合し、該照合により決定した登録画像の撮影方式に前記被撮影物を関連付けさせる構成とした
請求項５記載の写真撮影編集装置。
【請求項７】
前記被撮影物画像を前記登録画像として登録許容する登録手段を備えた
請求項６記載の写真撮影編集装置。
【請求項８】
前記登録画像と前記被撮影物画像とを比較し、該比較の結果に基づいて、利用者を撮影した撮影画像に対する画像補正の内容を決定する補正内容決定手段を備えた
請求項６記載の写真撮影編集装置。
【発明の詳細な説明】
【技術分野】
【０００１】
この発明は、例えば利用者を背景カーテン等の被撮影物と共に撮影して得た画像に編集を許容して印刷するような写真撮影編集方法およびその装置に関する。
【背景技術】
【０００２】
従来、カメラで利用者を撮影して撮影画像を取得し、この撮影画像に対する編集を利用者に行わせ、完成した編集画像を写真シールとして印刷する写真撮影編集装置が提供されている。
【０００３】
このような写真撮影編集装置の利用者は、女子高生が多く、写真撮影編集装置に対してアミューズメント性や多様性を求めている。このため、利用者の背景となる背景カーテンが複数設けられた写真撮影編集装置が提案されている（特許文献１参照）。
【０００４】
この写真撮影編集装置は、背景カーテンとして４つのロールカーテンが備えられており、撮影に使用する背景カーテンを利用者に選択させるように構成されている。
【０００５】
近年、このような写真撮影編集装置に使用される背景カーテンは、装着可能な数や供給される種類が増加する傾向にある。そして、写真撮影編集装置を設置している施設は、ある程度の期間が経過すると新しい背景カーテンを購入し、背景カーテンを交換することで変化を持たせるという運用を行っている。
【０００６】
しかし、施設が購入する背景カーテンの種類や個数や時期は、施設によって異なるため、各施設が使用している背景カーテンの種類や組み合わせのパターンは、膨大な数になっている。そして、撮影方式として選択可能な背景カーテンと、実際の撮影の際に使用する背景カーテンとの関連付けを行い、背景カーテンとソフトウェアとを対応させるには、大変な労力が必要であるという運用上の問題があった。
【０００７】
前述した公知例の写真撮影編集装置は、ＩＤタグを用いることで、撮影方式として選択可能な背景カーテンと、実際の撮影の際に使用する背景カーテンとの関連付けを容易化し、前記運用上の問題の解決を図っているが、ＩＤタグやＩＤタグリーダ／ライタを用いるとコスト増になるため、コストダウンを図る余地があった。
【０００８】
【特許文献１】特開２００４−２７９５１０号公報
【発明の開示】
【発明が解決しようとする課題】
【０００９】
この発明は、撮影方式と被撮影物との関連付けの問題を低コストで解決できる写真撮影編集方法および写真撮影編集装置を提供することを目的とする。
【課題を解決するための手段】
【００１０】
この発明は、被撮影物に関連付けられた撮影方式により利用者を撮影する撮影手段と、撮影により取得した撮影画像を編集して編集画像を作成する編集手段と、
所定の画像を出力する出力手段とを備えた写真撮影編集方法またはその装置であって、前記被撮影物を撮影手段で撮影した被撮影物画像に基づいて、該被撮影物と前記撮影方式を関連付ける関連付け手段を備えたことを特徴とする。
【００１１】
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。  
前記所定の画像は、前記撮影画像または／および前記編集画像で構成することができる。
【００１２】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１３】
前記撮影方式は、どの被撮影物を使用して撮影するかという方式、または、被撮影物とこれに対応した照明などで構成する撮影モードなど、撮影に関する方式で構成することができる。
【００１４】
前記関連付け手段は、例えば撮影方式を複数用意して利用者に選択させる場合であれば、選択された撮影方式とこれに対応する被撮影物を関連付ける制御手段で構成するといったように、撮影方式と被撮影物とを関連付ける手段で構成することができる。  
前記被撮影物は、背景カーテンや背景壁など、利用者と共に撮影される物で構成することができ、１つあるいは複数の物で構成することができる。
【００１５】
この発明の態様として、被撮影物に関する登録画像を記憶する記憶手段を備え、前記関連付け手段を、前記被撮影物画像と前記登録画像とを照合し、該照合により決定した登録画像に撮影方式を関連付けさせる構成とすることができる。  
前記記憶手段は、ハードディスクや不揮発性メモリなど、データを記憶する手段で構成することができる。
【００１６】
またこの発明の態様として、前記被撮影物画像を前記登録画像として登録許容する登録手段を備えることができる。  
前記登録手段は、入力手段による入力に基づいて被撮影物画像を記憶手段に記憶させる制御手段で構成することができる。
【００１７】
またこの発明の態様として、前記登録画像と前記被撮影物画像とを比較し、該比較の結果に基づいて、利用者を撮影した撮影画像に対する画像補正の内容を決定する補正内容決定手段を備えることができる。
【発明の効果】
【００１８】
この発明により、被撮影物に関する運用上の問題を低コストで解決できる。
【発明を実施するための最良の形態】
【００１９】
この発明の一実施形態を以下図面と共に説明する。  
まず、図１に示す写真シール作成機１の斜視図と共に、写真シール作成機１の外観について説明する。
【００２０】
写真シール作成機１は、主に撮影空間７と、撮影空間７の正面（図示右側）の筐体９と、撮影空間７の背面のロールカーテンユニット５０により構成されている。
【００２１】
前記撮影空間７の左右両面には、撮影空間７を外界から隔離し、また出入口を構成するための側面カーテン８が設けられている。また、撮影空間７の上部（天井部）には、ストロボ発光により下方へ向けて照明する天井照明装置１１ａが設けられている。
【００２２】
前記筐体９には、照明装置１１の一部（上照明装置１１ｂ、左照明装置１１ｃ、右照明装置１１ｄ、下照明装置１１ｅ）、デジタルカメラ１２、モニタ１３、入力装置１４（１４ａ，１４ｂ）、コイン投入口１５ａ、及び写真シール排出口１８ａが設けられている。
【００２３】
前記上照明装置１１ｂは、筐体９の正面上部に幅方向に長く設けられており、撮影空間７の中央へ向けて斜め下方に照明光を照射する。  
前記左照明装置１１ｃは、筐体９の正面左側で上部から中央付近へかけて縦長に設けられており、撮影空間７の中央へ向けて照明光を照射する。  
前記右照明装置１１ｄは、筐体９の正面左右で上部から中央付近へかけて縦長に設けられており、撮影空間７の中央へ向けて照明光を照射する。  
前記下照明装置１１ｅは、筐体９の正面下部に幅方向に長く設けられており、撮影空間７の中央へ向けて斜め上方に照明光を照射する。
【００２４】
なお、各照明装置１１（１１ａ，１１ｂ，１１ｃ，１１ｄ，１１ｅ）は、正面開放のボックス形状に形成して内面を白色に塗装した反射ボックスと、白色半透明の樹脂材で板状に形成して前記反射ボックスの正面を蓋する拡散板と、内部に備えたストロボ照明装置とで構成している。該ストロボ照明装置は照明方向を撮影空間７の外側に向けて設定しており、該ストロボ照明装置の照射光は、反射ボックスで反射し、撮影空間７の内側に備えた拡散板で拡散される。従って、各照明装置１１は、面光源として利用者や背景カーテン等の被写体を略均一に照明する。
【００２５】
また、前記各照明装置１１の内部には、前記ストロボ照明装置に対して蛍光灯照明装置が併設されており、プレイ中における撮影前のプレビュー時に蛍光灯照明装置でイメージ確認を許容し、撮影時（シャッタ時）にストロボ照明装置で十分な光量が得られるように構成されている。
【００２６】
前記デジタルカメラ１２は、筐体９の正面中央より少し上に設けられており、撮影空間７の中央へ向けて撮影方向を設定している。  
前記モニタ１３は、画像表示を行う液晶モニタなどの表示手段であり、筐体９の中央付近に画面が斜め上方へ向くように傾斜した状態で設けられている。  
前記入力装置１４は、前記モニタ１３に重ねて設けられたタッチパネル１４ａと、その左右両横に備え付けられたタッチペン１４ｂとにより構成されている。
【００２７】
前記コイン投入口１５ａは、筐体９の正面で中央より少し右下位置に設けられている。  
前記写真シール排出口１８ａは、筐体９の右側面に設けられている。
【００２８】
撮影空間７の後方（図示左側）の上部には、ロールカーテンユニット５０を装着する幅方向に長い装着ケース部３０が前後方向に５つ並設されている。  
各装着ケース部３０は、ロールカーテンユニット５０がそれぞれ着脱可能に装着されている。該ロールカーテンユニット５０は、背景カーテン５３の巻取り／下降が可能なように、背景カーテン５３がロール状に巻かれている。
【００２９】
以上の構成により、利用者は、選択した背景カーテン５３を背景にして、照明装置１１の照明を受けた状態でデジタルカメラ１２により撮影し、この撮影により得た撮影画像にタッチパネル１４ａ及びタッチペン１４ｂで編集を行い、編集後の編集画像が印刷された写真シールシートを写真シール排出口１８ａから取得することができる。
【００３０】
次に、図２に示すブロック図と共に、写真シール作成機１の構成について説明する。  
写真シール作成機１は、制御装置１０、照明装置１１、デジタルカメラ１２、モニタ１３、入力装置１４、貨幣処理装置１５、ＩＤタグリーダ／ライタ１７、プリンタ１８、記憶装置２０、及び装着ケース部３０により構成されている。
【００３１】
各構成要素について説明すると、前記制御装置１０は、ＣＰＵ、ＲＯＭ、及びＲＡＭにより構成されており、各機器の制御動作を実行する。なお、制御装置１０は、記憶装置２０に記憶されたプログラムに従って各処理を実行し、交換されたロールカーテンユニット５０と撮影方式の関連付けも実行する。
【００３２】
前記照明装置１１は、制御装置１０からの照明制御信号に従って、ストロボ照明装置（瞬間照明装置）のストロボ発光、及び蛍光灯照明装置の連続発光を実行し、撮影処理及び編集処理で利用者を照明する。また上記照明制御信号には、前記デジタルカメラ１２が出力したトリガ信号と同期をとった瞬間発光信号も含まれており、該瞬間発光信号に従ってストロボ照明装置がストロボ発光している間に前記デジタルカメラ１２のシャッタが開閉するように構成している。なお、前記蛍光灯照明装置は、白熱灯照明装置やスポットライト等、連続して照明できる連続照明装置で構成することができる。
【００３３】
前記デジタルカメラ１２は、制御装置１０から撮影開始信号を受けて撮影を実行し、該撮影時にシャッタのトリガ信号を出力する。該撮影による撮影画像は静止画データで、また撮影前のプレビュー画像は動画データで、それぞれ画像データとして制御装置１０に送信する。また制御装置１０から設定信号を受信し、設定値の変更等も実行する。
【００３４】
前記モニタ１３は、液晶ディスプレイで構成されており、制御装置１０からのＲＧＢ信号に従って、撮影前のプレビュー表示（動画表示）、撮影画像の確認表示（静止画表示）、画像編集時に使用するペンツールやスタンプツールなどの描画アイテムや、クロマキー合成に使用する合成用背景画像等、必要な画像を表示する。
【００３５】
前記入力装置１４は、前述のタッチパネル１４ａ（図１）とタッチペン１４ｂで構成されており、利用者にタッチペン１４ｂでタッチされた座標を入力信号として制御装置１０に送信する。
【００３６】
前記貨幣処理装置１５は、前述のコイン投入口１５ａ（図１）の内部に位置して設けられており、該コイン投入口１５ａから投入された硬貨等のコインの真偽判別及び金種判別を実行する。該真偽判別及び金種判別が正であれば、プレイを開始する起動信号を制御装置１０に送信する。
【００３７】
前記ＩＤタグリーダ／ライタ１７は、次に説明するプリンタ１８に近接して設けられており、制御装置１０の更新信号に従ってシール紙ユニット６０に備えたＩＤタグのデータを読み書きする。
【００３８】
前記シール紙ユニット６０は、ロール状のシール紙（印刷用紙）とその側面に一体に備えたＩＤタグ６４とで構成されている。該ＩＤタグ６４には、シール紙ユニット６０のＩＤナンバーや印刷残回数等の情報が記憶されている。
【００３９】
前記プリンタ１８は、編集画像が配置された印刷用画像を制御装置１０から受信し、該印刷用画像をシール紙に印刷して作成した写真シールシートを、写真シール排出口１８ａ（図１）から排出する。  
前記記憶装置２０には、背景カーテン５３と登録画像との関連付けデータ、照明光度やプレイ料金等の各種設定データ、及び必要なプログラムが記憶されている。
【００４０】
前記装着ケース部３０には、装着されたロールカーテンユニット５０のほかに、着脱センサ３４、パルスモータ３５、電子ロック３７、及び収納センサ３８が設けられている。  
前記着脱センサ３４は、検知したロールカーテンユニット５０の着脱信号を制御装置１０に送信する。  
前記パルスモータ３５は、制御装置１０からの回転制御信号に従って回転（正転／逆転）し、回転数を回転数信号として制御装置１０に送信する。  
前記電子ロック３７は、制御装置１０からの開閉制御信号に従って電子ロックのＯＮ／ＯＦＦを切り替える。  
前記収納センサ３８は、赤外線センサ等で構成されており、背景カーテン５３の下端部５４（図１）の通過を検知し、この検知信号を制御装置１０に送信する。これにより、背景カーテン５３が完全に収納されたか否かの検知を可能にしている。
【００４１】
以上の回路構成により、照明装置１１の照明を得て利用者をデジタルカメラ１２で撮影し、該撮影画像をモニタ１３に表示しつつ入力装置１４で編集許容し、プリンタ１８で印刷した写真シールシートを提供することができる。
【００４２】
また、着脱センサ３４によるロールカーテンユニット５０の着脱状態の把握、パルスモータ３５による背景カーテン５３の巻取り／下降、電子ロック３７によるロールカーテンユニット５０の着脱可否の制御、及び収納センサ３８による背景カーテン５３の収納状態と使用状態のチェックを実行することができる。
【００４３】
次に、図３に示す画面イメージ図と共に、メンテナンス処理における背景動作確認画面７０について説明する。  
背景動作確認画面７０には、画面上部のタブ項目７１と、画面左部のメニュー項目７７と、画面の主要面積を占める内容表示部８５とで構成されている。
【００４４】
タブ項目７１には、メンテナンス画面タブ７２、その他機器動作確認タブ７３、調整画面タブ７４、および背景動作確認タブ７５が設けられているが、背景動作確認画面７０では、背景動作確認タブ７５が選択されている状態になっている。
【００４５】
メニュー項目７７には、ストロボ動作確認ボタン７８、外部ＳＷ動作確認ボタン７９、ランプ点灯確認ボタン８０、背景動作確認ボタン８１、センサ動作確認ボタン８２、及び調整画面へ戻るボタン８３が設けられているが、背景動作確認画面７０では、背景動作確認ボタン８１が選択されている状態になっている。
【００４６】
内容表示部８５には、５つの下降ボタン８６と、全カーテン巻取りボタン８７と、全カーテン｛色｝｛柄｝調整ボタン８８とが設けられている。  
下降ボタン８６は、５つのロールカーテンユニット５０（カーテンＡ〜Ｅ）に対応させて５つ設けられており、押下されると対応するロールカーテンユニット５０の背景カーテン５３を下降させるボタンである。
【００４７】
全カーテン巻取りボタン８７は、押下されると全てのロールカーテンユニット５０の背景カーテン５３を巻取らせるボタンである。
【００４８】
全カーテン｛色｝｛柄｝調整ボタン８８は、押下されると全ての背景カーテン５３に関する色及び柄の調整、すなわち撮影方式と背景カーテンの関連付けを実行するボタンである。この関連付けについては、後に詳細に説明する。
【００４９】
以上の構成により、メンテナンス処理で背景カーテン５３と撮影方式の関連付けを調整することができる。
【００５０】
次に、図４に示す画面イメージ図と共に、利用者が背景カーテンを選択する背景カーテン選択画面９７について説明する。  
背景カーテン選択画面９７には、選択可能な種類の背景カーテン画像９８を複数並べて表示している。各背景カーテン画像９８は、予め登録された登録画像で構成されており、例えば、背景カーテン（白）、背景カーテン（赤）、背景カーテン（黄色）、背景カーテン（緑）、及び背景カーテン（柄）の画像で構成されている。  
以上の構成により、利用者は、画面上に表示された背景カーテン画像９８をワンタッチで容易に選択することができ、選択した背景カーテン画像９８に関連付けられた背景カーテン５３を背景にして撮影できる。
【００５１】
次に、図５に示すデータ説明図と共に、関連付けデータ４０のデータ構成について説明する。  
関連付けデータ４０は、撮影方式４１と登録画像４２とカーテンナンバー４３とで構成されている。  
撮影方式４１には、利用者に選択許容する背景カーテン５３の名称が記憶されている。  
登録画像４２には、画面表示用に別途準備された背景カーテン５３の画像が記憶されている。なお、この登録画像４２は、ＲＧＢ空間、ＨＬＳ空間、またはＬＡＢ空間など、適宜の色空間のデータ形式により構成している。  
カーテンナンバー４３には、背景カーテン５３を指定するナンバー、つまりカーテンＡ〜Ｅのいずれかが記憶されている。
【００５２】
ここで、カーテンＡ〜Ｅは、各ロールカーテンユニット５０の番号を配置順に示している。例えばカーテンＡは、最も撮影空間７に近いロールカーテンユニット５０の背景カーテン５３を示している。
【００５３】
以上の構成により、撮影方式４１と、利用者に背景カーテン５３を選択させる際に画面表示する登録画像４２と、実際に下降させる背景カーテン５３とを関連付けることができる。
【００５４】
なお、図５では撮影方式４１及び登録画像４２を、背景カーテン５３の装着可能数と一致させて図示しているが、実際は撮影方式４１及び登録画像４２を装着可能数より多く登録して構成している。このように、撮影方式４１及び登録画像４２を予め多量に登録しておくことで、施設は多種類の背景カーテン５３から任意の背景カーテン５３を選択して購入および使用することができる。  
そして、この選択された背景カーテン５３が写真シール作成機１に装着され、この背景カーテン５３にソフトウェアを対応させる際に、背景カーテン５３と登録画像４２との関連付けをするだけで、適切に対応させることが可能となる。
【００５５】
次に、図６に示すフローチャートと共に、メンテナンス処理における写真シール作成機１の制御装置１０の動作について説明する。
【００５６】
メンテナンス者によってメンテナンス処理が開始され、背景動作確認画面７０の背景動作確認タブ７５が押下されると（ステップｓ１：Ｙｅｓ）、制御装置１０は背景動作確認画面７０をモニタ１３に表示する（ステップｓ２）。
【００５７】
全カーテン｛色｝｛柄｝調整ボタン８８が押下されると（ステップｓ３：Ｙｅｓ）、制御装置１０は、最初に下降させる背景カーテン５３に対応するパルスモータ３５（図２）を駆動して背景カーテン５３を下降させ（ステップｓ４）、デジタルカメラ１２で背景カーテン５３を撮影する（ステップｓ５）。
【００５８】
制御装置１０は、撮影した背景カーテン５３の撮影画像である背景カーテン撮影画像を、記憶装置２０に記憶されている登録画像と照合する（ステップｓ６）。
【００５９】
制御装置１０は、この照合によって背景カーテン撮影画像に最も近いと判定した登録画像に対応する関連付けデータ４０の撮影方式４１（図５）と、撮影の際に下降させていた背景カーテン５３とを関連付ける（ステップｓ７）。
【００６０】
制御装置１０は、関連付けの終了していない背景カーテン５３が残っていれば（ステップｓ８：Ｎｏ）、ステップｓ４に戻って次の背景カーテン５３についてステップｎ４〜ｎ７の処理を繰り返す。
【００６１】
制御装置１０は、全ての背景カーテン５３についての関連付けが終了していれば（ステップｓ８：Ｙｅｓ）、関連付け処理に関するメンテナンス処理を終了する。
【００６２】
以上の動作により、初期設定時や、ロールカーテンユニット５０の交換時に、背景カーテン５３と登録画像４２とを容易に正しく関連付けることができ、メンテナンス作業の効率化が図れ、利便性が向上する。
【００６３】
この関連付けには、利用者を撮影するデジタルカメラ１２が用いられているため、関連付けを行うためのハードウェアコストがかからず、低コストで関連付け機能を実現することができる。
【００６４】
また、全カーテン｛色｝｛柄｝調整ボタン８８が押下されるというワンタッチの操作により、全ての背景カーテン５３と登録画像４２の関連付けを順次実行するため、１つずつ手作業で設定する場合に比べて関連付けに要する時間を大幅に短縮することができる。従って、接客再開するまでのプレイ受付中止時間を短縮することができる。
【００６５】
そして、仮に背景カーテン５３として、予め登録画像４２として登録されているものと異なる背景カーテン５３が装着された場合、つまり施設で独自に作成した背景カーテン５３や新発売の背景カーテン５３が装着された場合にも、最も近い登録画像４２に関連付けて対応することができ、汎用性が向上する。
【００６６】
次に、図７に示すフローチャートと共に、利用者がプレイするプレイ処理で写真シール作成機１の制御装置１０が実行する動作について説明する。  
コイン投入口１５ａにコインが投入されると（ステップｎ１）、制御装置１０は、図４に示した背景カーテン選択画面９７を表示し、利用者に背景カーテン画像９８（登録画像４２）を選択させる（ステップｎ２）。
【００６７】
制御装置１０は、選択された背景カーテン画像９８に対応する撮影方式での撮影を実行する。つまり、対応する撮影方式の背景カーテン５３を下降させて、この背景カーテン５３を背景にして利用者をデジタルカメラ１２で撮影する（ステップｎ３）。
【００６８】
制御装置１０は、撮影回数が最大回数になるまで（ステップｎ４：Ｎｏ）、ステップｎ２〜ｎ３を繰り返し、撮影回数が最大回数になると（ステップｎ４：Ｙｅｓ）、撮影画像を全てモニタ１３に表示し、利用者にどの撮影画像を編集するか選択させる（ステップｎ５）。
【００６９】
制御装置１０は、選択された撮影画像に対して編集を許容する編集画面を表示して、タッチパネル１４ａ（図１）とタッチペン１４ｂによる画像編集を許容する（ステップｎ６）。この編集処理では、ペンツールやスタンプツールなどの描画アイテムによる描画や、クロマキー合成による合成用背景画像の選択など、適宜の編集方法による編集を許容する。
【００７０】
編集が終了すると、制御装置１０は、利用者に写真シールの分割種類を選択させ（ステップｎ７）、選択された分割種類に従って編集画像を配置する。そして、この配置によって作成した印刷用画像を、プリンタ１８でシール紙に印刷して排出し（ステップｎ８）、処理を終了する。
【００７１】
以上の動作により、利用者は、背景カーテン選択画面９７で背景カーテン画像９８を選択するだけで、選択した背景カーテン画像９８に正しく対応する背景カーテン５３を背景にして撮影することができる。
【００７２】
そして、利用者は、撮影により得た撮影画像に編集を施すことができ、完成した編集画像を複数配置して印刷した写真シールシートを取得することができる。
【００７３】
以上に説明したように、本実施の形態は、背景カーテン５３をデジタルカメラ１２で撮影し、該撮影により取得した背景カーテン撮影画像に基づいて背景カーテン５３と前記撮影方式とを関連付けるものであるから、背景カーテン５３と前記撮影方式との関連付け機能を低コストで実現することができる。
【００７４】
従来のＩＤタグを用いる方法では、ＩＤタグのＩＤナンバーに対応させた背景カーテン５３のデータを写真シール作成機１の記憶装置２０に予め記憶しておく、あるいは、背景カーテン５３に関するデータを予め定められた形式でＩＤタグに記憶しておく必要があるが、本実施の形態ではこのような準備をする必要がなく、容易に関連付けすることができる。
【００７５】
さらに、例えば、登録画像４２と背景カーテン５３とが厳密には一致しておらずとも、最も近い登録画像４２の撮影形式に背景カーテン５３を関連付けるといったことができ、使用可能な背景カーテン５３に対する自由度を向上させることができる。
【００７６】
また、背景カーテン５３に関する登録画像４２を記憶する記憶装置２０を備え、前記背景カーテン撮影画像と前記登録画像４２とを照合し、該照合により決定した登録画像４２の撮影方式に前記背景カーテン撮影画像を関連付けさせるものであるから、背景カーテン５３と撮影方式の関連付けをより容易に設定し、また更新することが可能となる。
【００７７】
なお、図６と共に説明したステップｓ６の照合は、撮影した背景カーテン５３の画像と登録画像４２との一致度が一定の閾値以内か否かで行い、閾値以内の登録画像４２として複数の候補があれば、この候補の登録画像４２をモニタ１３に表示してメンテナンス者に選択させる構成にしてもよい。  
具体的には、図８の画面イメージ図に示すように、制御装置１０の制御によって、背景動作確認画面７０上に候補表示部９２を表示し、該候補表示部９２内に候補として表示する複数の登録画像４２から任意の登録画像４２をメンテナンス者に入力装置１４で選択させるとよい。そして、この登録画像４２を選択されるまでの間、照合している背景カーテン５３は下降させた状態にしておくとよい。
【００７８】
これにより、メンテナンス者は下降している背景カーテン５３を目視確認し、最も近い登録画像４２を選択することができる。従って、写真シール作成機１の設置環境の違い（屋内か野外か、屋内であればどのような照明があるかなど）や、経年変化に伴う照明条件の変動（デジタルカメラ１２の消耗や、照明装置１１のストロボの消耗など）によって、デジタルカメラ１２が取得する背景カーテン撮影画像の色目などが変わった場合でも、登録画像４２との関連付けを適切に行うことができる。
【００７９】
また、図９の画面イメージ図に示すように、前記候補表示部９２に、背景カーテン５３を撮影した背景カーテン撮影画像９１を表示する構成にしてもよい。この場合、メンテナンス者は、画面上で背景カーテン撮影画像９１と候補の登録画像４２とを比較して登録画像４２を選択することができ、後方に振り向いて背景カーテン５３を目視確認する必要がなく、手際よく効率的に関連付けの設定を行うことができる。
【００８０】
また、登録画像４２に替えてまたは加えて、新品の背景カーテン５３を写真シール作成機１に装着して撮影した新品背景カーテン撮影画像を、メーカー等で予め関連付けデータ４０に登録しておく構成としてもよい。この場合、前記ステップｓ６（図６）の照合の際に、この新品背景カーテン撮影画像で照合を行うように構成するとよい。このように、実際に撮影した画像を照合に使用することで、照合精度を向上させることができる。
【００８１】
また、前記ステップｓ６（図６）の照合時に適切な背景カーテン５３が存在しなかった場合、ステップｓ５の撮影で取得した背景カーテン撮影画像を登録画像４２に設定して関連付けデータ４０にデータを追加する新規登録処理を、制御装置１０が実行する構成にしてもよい。  
この場合、図３の背景動作確認画面７０上や、図８または図９の候補表示部９２上に、新規登録ボタンを設け、この新規登録ボタンが押下されると、名称入力画面を表示して撮影方式４１として名称を文字入力させ、登録ボタンの押下によって撮影方式４１、登録画像４２、及びカーテンナンバー４３を登録する構成にすればよい。  
これにより、装着する背景カーテン５３に対して適切な登録画像４２がなくても、新規登録して対応することができ、汎用性が向上する。すなわち、新しい種類の背景カーテン５３を発売する際に、メーカー側はソフトウェアを用意せずに背景カーテン５３だけを販売することができ、また、施設側は、独自に作成した背景カーテン５３を装着することもできる。  
また、この新規登録に際しては、背景カーテン５３を撮影した背景カーテン撮影画像に対して、明度や色調といった画像補正を施した上で登録画像４２として登録する構成にしてもよい。  
一般に、プレイする利用者は照明装置１１をストロボ発光させて撮影することが多いため、メンテナンスで背景カーテン５３を撮影した際よりも撮影環境が明るくなる事が多いが、前記画像補正により、前記ステップｎ２（図７）で登録画像４２として表示する背景カーテン５３の見た目と、実際に撮影した撮影画像での背景カーテン５３の見た目を近づけることができる。  
これにより、利用者は意図したとおりの撮影画像を得ることができ、混乱なくプレイすることができる。また、例えば背景カーテン５３が劣化して色合いが変化してきた場合であっても、背景カーテン撮影画像を補正して新品当初の色合いに近づけるといったことができ、利用者の満足度低下を防止することができる。
【００８２】
また、背景カーテン５３を実際に撮影した実撮影登録画像を関連付けデータ４０に記憶させておき、ステップｓ６（図６）の照合時に背景カーテン５３を撮影した背景撮影画像と前記実撮影登録画像とを比較して、プレイ中の撮影画像の画像補正値を決定する画像補正内容決定処理を、制御装置１０が実行する構成にしてもよい。  
これにより、照明装置１１のストロボや背景カーテン５３が経年変化して撮影画像が暗くなっているような場合でも、プレイ中の撮影画像に明度補正や色調補正といった画像補正を施して、経年変化の影響があまり現れない撮影画像（画像補正後の撮影画像）を提供でき、利用者の満足度の低下を防止することができる。
【００８３】
また、インターネットなどの電気通信回線に写真シール作成機１を通信可能に接続し、この電気通信回線に通信可能に接続したサーバを設け、該サーバに登録画像４２を記憶させる構成にしてもよい。  
この場合は、施設が新しい背景カーテン５３を装着する際に、写真シール作成機１がサーバにアクセスし、装着された背景カーテン５３に対応する登録画像４２をダウンロードして、関連付けデータ４０を完成させることができる。  
これにより、施設のメンテナンス者は、新しい背景カーテン５３を装着した際に適切な関連付けデータ４０を容易に得ることができ、また、メーカー側も新発売の背景カーテン５３に対応するためのデータベースの更新を容易に行うことができる。
【００８４】
また、選択された撮影方式によって、撮影処理、編集処理、分割数選択処理、またはこれらの複数を異なるモードに切り替える構成にしてもよい。これにより、撮影モードの種類、編集モードの種類、分割モードの種類、あるいはこれらをまとめたプレイモードの種類を撮影方式の選択によって切り替えることができ、背景カーテン５３とソフトウェア処理を連動させて切り替えることが可能となる。
【００８５】
特に編集モードの種類は、背景カーテン５３と関連付けして切り替えることにより、クロマキー合成に適した背景カーテン５３が選択されると、クロマキー合成用の合成用背景画像を編集処理で選択可能にするなど、効果的な切り替えを行うことができる。これにより、利用者の満足度をより向上させることができる。
【００８６】
また、図６と共に説明したステップｓ４〜ｓ８の動作による関連付けは、メンテナンス処理に限らず、写真シール作成機１を電源オンした際に、イニシャルチェックと共に実行する構成にしてもよい。この場合、施設の係員は、メンテナンス処理を実行せずとも、背景カーテン５３を交換した後に電源オフと電源オンを行うだけで関連付けを完了させることができる。これにより、撮影方式と背景カーテン５３との関連付けを、さらに容易に実行することができる。
【００８７】
また、被撮影物として背景カーテン５３を撮影方式と関連付けする構成にしたが、これにかぎらず、デジタルカメラ１２で撮影される利用者以外の物を被撮影物とし、この被撮影物と撮影方式とを関連付けする構成にしてもよい。これにより、撮影方式を様々な物と関連づけすることができ、多種多様な写真シール作成機１に対応することができる。
【００８８】
この発明の構成と、上述の実施形態との対応において、
この発明の写真撮影編集装置は、実施形態の写真シール作成機１に対応し、
以下同様に、
撮影手段は、デジタルカメラ１２に対応し、
編集手段は、入力装置１４に対応し、
出力手段は、プリンタ１８に対応し、
記憶手段は、記憶装置２０に対応し、
被撮影物は、デジタルカメラ１２で撮影される背景カーテン５３などの利用者以外の物に対応し、
関連付け手段は、ステップｓ５〜ｓ８を実行する制御装置１０に対応し、
登録手段は、新規登録処理を実行する制御装置１０に対応し、
補正内容決定手段は、画像補正内容決定処理を実行する制御装置１０に対応し、
被撮影物画像は、デジタルカメラ１２で撮影して取得した背景カーテン撮影画像などの利用者以外の物の画像に対応し、
所定の画像は、編集画像に対応するも、
この発明は、上述の実施形態の構成のみに限定されるものではなく、多くの実施の形態を得ることができる。
【図面の簡単な説明】
【００８９】
【図１】写真シール作成機の外観を示す斜視図。
【図２】写真シール作成機の構成を示すブロック図。
【図３】背景動作確認画面の画面イメージ図。
【図４】背景カーテン選択画面の画面イメージ図。
【図５】関連付けデータのデータ構成を示すデータ説明図。
【図６】メンテナンス処理のフローチャート。
【図７】プレイ処理のフローチャート。
【図８】他の実施形態の背景動作確認画面の画面イメージ図。
【図９】他の実施形態の背景動作確認画面の画面イメージ図。
【符号の説明】
【００９０】
１…写真シール作成機
１０…制御装置
１２…デジタルカメラ
１４…入力装置
１８…プリンタ
２０…記憶装置
４１…撮影方式
４２…登録画像
５３…背景カーテン
【図１】
2006303567.tif 000003
【図２】
2006303567.tif 000004
【図３】
2006303567.tif 000005
【図４】
2006303567.tif 000006
【図５】
2006303567.tif 000007
【図６】
2006303567.tif 000008
【図７】
2006303567.tif 000009
【図８】
2006303567.tif 000010
【図９】
2006303567.tif 000011